(57)【要約】【課題】  衣揚げ、特に天ぷらをつくるための加熱調理用付属品を提供すること。【解決手段】  本発明は、揚げ油浴を入れるための容器用の加熱調理用付属品に関するものであり、この加熱調理用付属品は、揚げる食品を受けとるために設けられた透かし穴付き支持体（１１）を有する。本発明によれば、透かし穴付き支持体（１１）は、開口部（１３）を備えたトレイ（１２）によって形成され、トレイ（１２）は、加熱調理の際に食品の付着を防ぐために処理された上面を有する。【選択図】  図１
2005034646.tif 000002
【特許請求の範囲】
【請求項１】
揚げる食品を受けとるために備えられた透かし穴付き支持体（１１）を有する、揚げ油浴を容れる容器のための加熱調理用付属品であって、透かし穴付き支持体（１１）は、開口部（１３または１３’）を備えたトレイ（１２または１２’）によって形成され、トレイ（１２または１２’）は、加熱調理の際に食品の付着を防ぐために処理された上面を有することを特徴とする加熱調理用付属品。
【請求項２】
トレイ（１２または１２’）の上面は、凹型押し部分（２０または２０’）を有し、開口部（１３または１３’）は、凹型押し部分（２０または２０’）内に設けられることを特徴とする請求項１に記載の加熱調理用付属品。
【請求項３】
凹型押し部分（２０または２０’）は、各々、自由縁（２１ａ、２２ａまたは２１’ａ、２２’ａ）を有する２つの型押しされた部分（２１、２２または２１’、２２’）を備え、開口部（１３または１３’）は、２つの型押しされた部分（２１、２２または２１’、２２’）の自由縁（２１ａ、２２ａまたは２１’ａ、２２’ａ）の間に設けられることを特徴とする請求項２に記載の加熱調理用付属品。
【請求項４】
凹型押し部分（２０または２０’）は、異なる深さの２つの型押し部分（２１、２２または２１’、２２’）を有することを特徴とする請求項３に記載の加熱調理用付属品。
【請求項５】
開口部（１３’）は、２つの型押しされた部分（２１’、２２’）の自由縁（２１’ａ、２２’ａ）の間に横方向間隙（２３）を備えることを特徴とする請求項３または４に記載の加熱調理用付属品。
【請求項６】
トレイ（１２または１２’）の上面は、凹型押し部分（２０または２０’）以外は平面であることを特徴とする請求項２から５のいずれかに記載の加熱調理用付属品。
【請求項７】
トレイ（１２または１２’）は、少なくとも部分的には上方折り返し縁をもたない周囲縁（１６）を有することを特徴とする請求項１から６のいずれかに記載の加熱調理用付属品。
【請求項８】
周囲縁（１６）は上方折り返し縁をもたないことを特徴とする請求項７に記載の加熱調理用付属品。
【請求項９】
トレイ（１２または１２’）は、アルミニウムプレートでできており、トレイ（１２または１２’）の上面は、付着防止コーティングによって覆われていることを特徴とする請求項１から８のいずれかに記載の加熱調理用付属品。
【請求項１０】
トレイ（１２または１２’）はアルミ処理された鋼板プレートでできており、トレイ（１２または１２’）の上面は、付着防止コーティングで覆われていることを特徴とする請求項１から８のいずれかに記載の加熱調理用付属品。
【請求項１１】
付着防止コーティングはＰＴＦＥであることを特徴とする請求項９または１０に記載の加熱調理用付属品。
【請求項１２】
付着防止コーティングは、耐油耐熱性食品用ラッカーであることを特徴とする請求項９または１０に記載の加熱調理用付属品。
【請求項１３】
付着防止コーティングは、耐油耐熱性食品用ペイントであることを特徴とする請求項９または１０に記載の加熱調理用付属品。
【請求項１４】
トレイ（１２または１２’）はステンレススチールプレートからなり、トレイ（１２または１２’）の上面に電解研磨が施されていることを特徴とする請求項１から８のいずれかに記載の加熱調理用付属品。
【請求項１５】
トレイ（１２または１２’）はアルミニウムプレートからなり、トレイ（１２または１２’）の上面に陽極処理が施されていることを特徴とする請求項１から８のいずれかに記載の加熱調理用付属品。
【請求項１６】
透かし穴付き支持体（１１）は握り部分（３）につながっていることを特徴とする請求項１から１５のいずれかに記載の加熱調理用付属品。
【請求項１７】
透かし穴付き支持体（１１）は、上昇／下降機構を介して、握り部分（３）につながっていることを特徴とする請求項１６に記載の加熱調理用付属品。
【発明の詳細な説明】
【技術分野】
【０００１】
本発明は、食品を浸す加熱用液を容れるための漕を有する加熱調理用の器具または装置の技術分野に関するものである。
【０００２】
本発明は、とりわけ、上記のタイプの器具または装置において使用される加熱調理用付属品に関するものである。
【背景技術】
【０００３】
バスケットのような加熱調理用付属品の使用は、油浴中で揚げ物をつくるのを容易にすることができる。通常、バスケットは金属メッシュでできている。
【０００４】
このようなバスケットは、特に天ぷらのような衣揚げをつくるにはあまり適していないことがわかった。なぜなら、揚げ衣が金属メッシュに貼りついてしまうからである。その結果、衣揚げをバスケットから取り出すのが難しく、特に揚げ衣が薄い場合には衣揚げの見た目が悪くなる恐れがある。さらに、バスケットの洗浄も面倒である。
【０００５】
天ぷらとは、揚げ衣で覆った魚介類および／または野菜の衣揚げのことである。魚介類とは、たとえば、エビ、イカの切り身、（たとえば、キス科の魚のような）魚の切り身をさす。野菜とは、たとえばナス、アスパラガス、きのこ、レンコン、カボチャ、サツマイモ、海藻をさす。揚げ衣は、水、小麦粉、卵の黄身、あるいはまた、より厚い衣を得るため、特にかき揚げと呼ばれる天ぷらの種類のためには、卵、小麦粉、水でつくることができる。
【０００６】
【特許文献１】国際公開第００／４８，４９７号パンフレット
【発明の開示】
【発明が解決しようとする課題】
【０００７】
本発明の目的は、上記の不都合を解消することができるような、揚げ油浴の中で使用するために備えられる加熱調理用付属品を提案することにある。
【０００８】
本発明の他の目的は、とりわけ薄い揚げ衣をつけて加熱調理される衣揚げに適した、上記のタイプの付属品を提案することにある。
【課題を解決するための手段】
【０００９】
これらの目的は、揚げる食品を受けとるために備えられた透かし穴を施した支持体を備える、揚げ油浴を入れる容器のための加熱調理用付属品によって達成されるが、それは該透かし穴付き支持体が、開口部を備えたトレイで形成されており、該トレイが、加熱調理の時に食品が付着するのを防ぐために処理された上面を有することによる。この上面は、たとえばＰＴＦＥ層のような付着防止コーティングを備えることもできる。この上面はまた、研磨などの表面処理、特にステンレススチール表面に電解研磨を施しておくこともできる。こうした措置によって、前記の上面に、衣揚げ、特に天ぷらが付着するのを防ぐことができる。トレイの開口部によって、揚げた食品の油切りを容易にすることができる。トレイの開口部はまた、加熱調理容器中での油の対流を容易にすることができる。さらに、トレイの開口部は、加熱調理容器中での、本発明による加熱調理用付属品の上昇または下降を容易にすることができる。
【００１０】
有利にも、トレイの上面は、凹型押し部分を有し、凹型押し部分内には開口部が設けられている。この措置によって、トレイからの油の回収および排出を容易にすることができる。
【００１１】
有利にも、凹型押し部分は、各々が自由縁を有する型押しされた２つの部分を有し、開口部は、型押しされた２つの部分の自由縁の間に設けられる。こうした措置によって、開口部の製作を簡略化することができる。こうした措置はまた、食品の付着を助長する恐れがある、トレイの上面に鋭角部分をもたないようにすることができる。
【００１２】
有利にも、凹型押し部分は、深さの異なる２つの型押し部分を有する。こうした措置によって、油の流れを容易にする、より大きな断面積を持つ開口部を得ることができる。こうして、開口部は、少なくとも部分的に、トレイに対して側方向に延在する。
【００１３】
有利にも、開口部は、２つの型押し部分の自由縁の間に横方向間隙を有する。言い換えれば、開口部がトレイを貫通する。油は、必然的に凹型押し部分上に流れ出ることなく、重力によって開口部から直接流れることができる。またオイル内のトレイの下降または上昇も容易になる。こうした措置によって、開口部の製作を容易にしながらも、開口部のサイズを大きくすることができる。
【００１４】
さらに有利にも、製作を簡略化するために、トレイの上面は、凹型押し部分以外は平面である。
【００１５】
さらに有利にも、トレイは、少なくとも部分的に上方折り返し縁を持たない周囲縁を有する。こうした措置によって、揚げた食品を取り出すことが容易になる。さらにこうした措置によって、トレイの外に揚げ油を流すことが容易になる。
【００１６】
有利にも、周囲縁は上方折り返し縁をもたない。こうしてトレイは、プレートによって形成することができる。
【００１７】
一実施形態によれば、トレイは、アルミニウムプレートで製作され、トレイの上面は、付着防止コーティングで覆われている。
【００１８】
別の実施形態によれば、トレイはアルミ処理された鋼板プレートで製作され、トレイの上面は、付着防止コーティングで覆われている。
【００１９】
トレイの付着防止コーティングは特にＰＴＦＥ、耐油性耐熱食品用ラッカー、または耐油性耐熱食品用ペイントとすることができる。
【００２０】
他の実施形態によれば、トレイは、ステンレススチール製プレートで製作され、トレイの上面には電解研磨を施してある。
【００２１】
他の実施形態によれば、トレイはアルミニウムプレートでつくられ、トレイの上面には陽極処理が施されている。
【００２２】
有利にも、透かし穴付き支持体は、握り部分につながっている。握り部分は、透かし穴付き支持体に対して取り外し可能とすることも、取り外し不能とすることもできる。
【００２３】
有利にも、透かし穴付き支持体は、上昇／下降機構を介して握り部分につなげられる。
【００２４】
添付の図１から７に例示されている実施例および変形形態は限定的なものでは決してなく、これらを検討することで本発明がよりよく理解されるであろう。
【発明を実施するための最良の形態】
【００２５】
図１は、揚げ油浴を容れる容器２内に置かれた加熱調理用付属品１を示している。容器２は、たとえば電気揚げ鍋の一部である漕とすることができる。
【００２６】
加熱調理用付属品１は、揚げる食品を受けとるために備えられた透かし穴付き支持体１１を備える。透かし穴付き支持体１１は握り部分３につながれている。
【００２７】
握り部分３は、支持体４、支持体４から出ているガイドレール５、ガイドレール５上をスライドするように取り付けられた、加熱調理用付属品１の案内手段６、握り部分３によって駆動されるレバー１０、および、案内手段６をレバー１０につなげる連結手段７を有する上昇／下降装置の一部である。支持体４は容器２に対して取り外し可能である。握り部分３を用いて案内手段６をガイドレール５上で移動させることができる上昇／下降機構は、特許文献１の主題であり、ここでは詳述しない。
【００２８】
加熱調理用付属品１は、案内手段６に取り付けられる。連結手段７は、案内手段６に対して回転移動するように取り付けられた変形可能な２本のアームを有する弾性部品によって形成される。連結手段７は、案内手段６から外すことができ、その結果、加熱調理用付属品１と案内手段６を、他の案内手段に結びついた他の加熱調理用付属品に代えることができる。他の加熱調理用付属品とは、たとえば、揚げ物をつくるために使用される加熱調理用バスケットである。
【００２９】
透かし穴付き支持体１は、案内手段６と連動する。そのことによって、透かし穴付き支持体１１は、上述の上昇／下降機構を介して握り部分３につながる。
【００３０】
透かし穴付き支持体１１は、開口部１３を備えたトレイ１２によって形成される。トレイ１２は、金属プレートからつくられる。トレイ１２は、たとえば、アルミ処理された鋼板でつくられる。トレイ１２は、加熱調理時に食品が付着することを防ぐように処理された上面、たとえば、ＰＴＦＥでコーティングされた上面、あるいはまた、油に浸すことに耐え、揚げるときに油の高温に耐えることができる食品用ペイントまたはラッカーでコーティングされた上面を有する。トレイ１２の下面もまた、特に開口部１３のレベルで、加熱調理時に食品の付着を防ぐために処理することができる。
【００３１】
図２は、案内手段６に連動された加熱調理用付属品１をより詳しく示している。トレイ１２は、案内手段６に固定された保持要素１４に取り付けられる。そのため、トレイ１２は、保持要素１４を受けとるために設けられた留置用突起１５を有する。トレイ１２は、上方折り返し縁をもたない周囲縁１６を有する。留置用突起１５は、トレイ１２の縁に配置され、ノッチ１７を形成している。留置用突起１５は、その結果、保持要素１４の下に配置され、そのことから、トレイ１２の上側表面が解放される。保持要素１４は、たとえば溶接によって案内手段６に固定される。
【００３２】
トレイ１２の上面は、凹型押し部分２０を有する。凹型押し部分２０は、たとえば、トレイ１２のすでに被覆された上面につくられる。凹型押し部分２０内には開口部１３が備えられる。トレイ１２の材料と、そのまたはそれらのコーティングの性質に応じて、型押し作業はコーティング作業前または作業後に行うことができる。
【００３３】
図３に示されているように、保持要素１４は、サポートワイヤによって形成される。保持要素１４は、案内手段６に固定される中央部分１４ａを有する。保持要素１４はまた、留置用突起１５上に嵌め込まれる２本のアーム１４ｂ、１４ｃを備える。
【００３４】
図４に示されているように、トレイ１２の上面は、凹型押し部分２０以外では平面である。案内手段６には、連結手段７のアームの１本を受容するために備えられた通路６ａの１つが見える。
【００３５】
図５は、保持要素１４も案内手段６ももたないトレイ１２を示している。凹型押し部分２０は、深さの異なる２つの型押し部分２１、２２を有する。開口部１３は、２つの型押し部分２１、２２の間に設けられる。
【００３６】
図６に示されているように、型押し部分２１、２２は、各々、自由縁２１ａ、２２ａを有する。開口部１３は、自由縁２１ａ、２２ａによって画定された平面１９内に延在する。平面１９は、トレイ１２の上面に垂直である。
【００３７】
加熱調理用付属品１は、電気揚げ鍋においてだけでなく、あらゆるタイプの容器内で使用することができる。
【００３８】
使用者は、トレイ１２のコーティングされた上面に揚げられる衣揚げを置く。使用者は、容器２内に容れられた油の上にトレイ１２を持ち上げ、握り部分３を操作しながら油浴内にトレイを下ろすことができる。加熱調理用付属品１は、容器２から取り出すことができる。トレイ１２のコーティングされた上面によって、揚げられた衣揚げがトレイ１２に付着するのを防ぐことができる。上方折り返し縁がないことから、皿の中に衣揚げを容易に移すことができる。開口部１３によって、衣揚げの油切りと油浴内のトレイ１２の操作を容易にすることができる。加熱調理用付属品１を容器２から取り出すことができる。
【００３９】
図７は、開口部１３’が、凹型押し部分２０’の２つの型押し部分２１’および２２’の自由縁２１’ａ、２２’ａ間に横方向間隙２３を有する点が、先の実施形態と異なる変形形態を示している。その結果、開口部１３’は、図１から６に示されている実施例におけるような側方向開口部であるだけでなく、トレイ１２’を貫通する開口部でもある。補足的変形形態として、型押しされた２つの部分２１’、２２’は必ずしも異なる深さをもたない。
【００４０】
補足的変形形態として、トレイ１２、１２’の周囲縁１６は、上方折り返し縁を備えることができる。このとき、好ましくは、トレイ１２、１２’の周囲縁１６は、少なくとも部分的に上方折り返し縁をもたない。
【００４１】
補足的変形形態として、トレイ１２、１２’は、角が丸められた長方形とは別の形状を有することもできる。
【００４２】
補足的変形形態として、トレイ１２、１２’は、必ずしもアルミ処理された鋼板プレートからつくる必要はなく、たとえばアルミニウムプレートまたはステンレススチールプレートとすることもできる。アルミニウムプレートは、上面さらには下面を、特にＰＴＦＥ、油浴に浸すことができる耐熱ラッカーまたはペイントでコーティングすることができる。トレイの上面に食品が付着することを防ぎ、トレイの上面および下面の洗浄を容易にすることができるようにするために、付着防止コーティングの他の手段、特に、ステンレススチールプレートにおける電解研磨、あるいは、アルミニウムプレートにおける陽極処理を考えることもできる。
【００４３】
補足的変形形態として、型押し部分２０、２０’の少なくともいずれか一方は、開口部１３、１３’のいずれか一方が間に設けられた３つの部分を有することができる。
【００４４】
補足的変形形態として、型押し部分２０、２０’の少なくともいずれか一方は、開口部１３、１３’のいずれか一方が中に設けられたただ１つの部分を有することができる。
【００４５】
補足的変形形態として、透かし穴付き支持体１１と握り部分３との間に、本明細書に記されたのとは別の上昇／下降機構を備えることができる。
【００４６】
補足的変形形態として、握り部分３’は、必ずしも、上昇／下降機構を介して、透かし穴付き支持体１１につなげられる必要はない。
【００４７】
補足的変形形態として、握り部分は、透かし穴付き支持体に対して取り外し可能または取り外し不能とすることができる。透かし穴付き支持体に対して取り外し可能な握り部分は、本発明による加熱調理用付属品の一部とする、または一部としないことができる。
【００４８】
本発明は、上述の実施形態および変形形態になんら限定されるものでなく、特許請求の範囲の範囲内での数多くの変更を含むものである。
【図面の簡単な説明】
【００４９】
【図１】本発明による加熱調理用付属品をともなう加熱調理容器の透視図である。
【図２】図１に示された本発明による加熱調理用付属品の一部分の透視図である。
【図３】図２に示された本発明による加熱調理用付属品の一部分の要素の透視図である。
【図４】図２に示された本発明による加熱調理用付属品の一部分の側面図である。
【図５】図２から４に示された本発明による加熱調理用付属品の一部分の他の要素の正面図である。
【図６】図５に示された要素の部分縦断面図である。
【図７】図５および６に示された要素の実施変形形態の部分縦断面図である。
【図１】
2005034646.tif 000003
【図２】
2005034646.tif 000004
【図３】
2005034646.tif 000005
【図４】
2005034646.tif 000006
【図５】
2005034646.tif 000007
【図６】
2005034646.tif 000008
【図７】
2005034646.tif 000009